(57)【要約】      （修正有）【課題】着用時は軽量で動き易く、出塁してからは簡単に脱ぎ外せ、必要とあればユニフォームのポケットなどに入れて走行しても邪魔にならないようコンパクトに折り畳めるなどができる野球打者用フットガードを提供する。【解決手段】裏面被覆材を積層した緩衝材を脛パッド形に成型しその上部中央に脛前面部中央から両側にかかるほど幅広な硬質又は半硬質の保護プレートを載せ接着固定する。プレートは複数本の縦断する溝線が成型されているか切込み線を穿ったものである。脛両側部にあたる位置には縦長に成型したプレートを分離し配置固定し、上部に表面被覆材を載せ、プレート間の溝抗に縫着線を施し周縁部を縁懸け仕上げを施しパッド部を完成させる。パッドを被覆縫着後、内包したプレートの溝線または切込み線が開くよう内側に押し曲げることで円筒形の脛に沿った湾曲が得られ、多数の縫着線で押し潰された部分を衝撃パッド前面から取り除くことができる。【選択図】図２
0003105187.tif 000002
【実用新案登録請求の範囲】
【請求項１】
野球打者の自打球から下肢部を防御するフットガードの内、脛前面から両側部に懸けた部位を保護するシン（脛）ガードを柔軟な緩衝パッド体に硬質又は半硬質の衝撃吸収プレートを挿入する時、特に脛前面部へのプレートにおいては前部から側部にかかるほど出来るだけ幅広にし、円筒形の下肢に沿うよう容易に内側方向に湾曲させるための複数本の縦状切込み線を穿ったものとし、これとは分離した側部用細身の縦状保護プレート群とをもって脛前側部を覆うパッドの芯材として構成したもの。
【考案の詳細な説明】
【技術分野】
【０００１】    野球打者用フットガードは打撃目的で打者ボックスに立った選手が自打球により自身の足甲部や脛下部周辺に受ける直撃からの保護を目的とした防具である。投手からの投球を安打として打ち返した打者は、即、走塁して塁を確保せねばならず着用したフットガードをそのままに走者として出塁する必要がある。そのためフットガードは走塁の邪魔にならぬよう軽量で装着性のよいものであるのが理想である。出塁後防具は不必要となるため、取外し、塁コーチ等に渡すか、専従コーチがいない草野球などでは走者となった打者自身が防具を折り畳むなどして携帯し走塁することもある。そのためには、いずれにせよフットガードはコンパクトで携行性のよい事などが望まれる。
【背景技術】
【０００２】    フットガードは自打球の直撃を受け易い足甲部と、足首から脛下部に懸けた脛当部が打撃や走行の障害とならないように構成され、其々の部位は硬質保護プレートと柔軟緩衝パッドの組み合わせによる構成となっている。着用時は軽量で動き易く、出塁してからは簡単に脱ぎ外せ、必要とあればユニフォームのポケットなどに入れて走行しても邪魔にならないようコンパクトに折り畳めるなどができることが望ましい。
【考案が解決しようとする課題】
【０００３】    フットガードの部位の内、自打球落下の直撃を受け易い足甲部は通常甲にそった立体成型の硬質プレートでカバーされているが、足首から脚脛部にかけては打者の好みや打撃の癖などによってごく補助的で短小なものから膝下部に達する程長く本格的なレッグガード様なものまで種々の形状が要求される。シンガード部の硬質保護プレートは捕手用レッグガードのような成型プレートを使用することはまれで、平板な複数本の短冊状硬質板を縦長に保護バッド内に埋め込むよう構成するのが通常である。出塁後フットガードを外しコンパクトに折り畳むなどしてもち運ぶなり、インフィールド外に運び出してもらうなどのために利便性が良いようにするためである。こうした脛部保護防具はソックス内に挿入し使用するサッカー用脛当てなども同様の構成をしており、古くはフエルトなどを内包した帆布製パッドを多数の細い縦溝を作るように縫着し、溝内に籐や竹の細長い芯材を挿入して構成し脛当て防具と成し脛部に巻きつけ着用したものと大差ない。近年では内包する芯材がプラスチックプレートに、フエルトが発泡緩衝材へと材質は変わっても伝統的な製作方法は旧来のままである。円筒形の脛部へ巻きつけ装着するには硬質芯材とそれらを受け入れるパッド内の縦状ポケットは多い方が装着製は良いが、縫製の手間もそれだけ増し無防備な縦状ポケット間の隙間もそれだけ多くなり防具としての機能低下につながることになる。
【課題を解決するための手段】
【０００４】    フットガードのシンガード（脛当て）部に内包する緩衝硬質プレート板をなるべく隙間を少なくするよう挿入し、かつ円筒形の脛部に無理なく巻きつけ装着できるよう構成した芯部材及び被覆材の構造を示したのが図２である。［２−１］はその全体平面図であり、表面被覆材を取り去った図である。［２−２］はそのＡ−Ａ’部の断面図であり表面の合成皮革等の被覆材を載せた状態である。１は裏面被覆材、２は単層または多層の緩衝材パッド部、３は硬質または半硬質素材による保護プレート、４は硬質または半硬質素材による保護プレートであり３よりやや厚目であり、縦を貫くように厚みの１／２から１／３程に達する複数本の溝ないし切り込み線５がうがたれたものがパッド部に接着固定されている。６はその上に載せた表面被覆材である。［２−３］は周縁をヘリテープ８で覆い縫製９完了後のシンガード部本体のＡ−Ａ’断面図であり、縫着線７や５に着けられた縦溝５により容易に内向きに湾曲する様子を示したものである。
【考案の効果】
【０００５】    図の例では脛当て体を縦内側に湾曲させるための硬質プレートの分離部は左右２本だけである。そのための縦溝縫着線７もその２本だけであり両最端部の逢着線９は周縁に縁テープ８を巻く逢着線であり、縫製作業が相当簡素化される。パッド内に縫い込められた硬質プレートは縦に設けられた切り込み線のため、付属の取り付けバンドで脚部に巻き付けて着用されると硬質半硬質のプレート４は左右に引かれて５のために容易に湾曲し脛の前面を隙間なく覆うことができる。脛骨の剥き出しになった脛の前面部は通称弁慶の泣き所などと言われ衝撃に鋭く反応するところである。素材の重ね具合、簡素で確実な補助工程などにより省力に貢献しつつ充分な効果を生んだ考案と言えよう。
【実施例１】
【０００６】  図１は実施例による正面完成全図である。Ｂは足甲を防御するガード部で、Ａが本考案により改良された脛当て（シン）ガード部である。Ｃ及びＤは脛部足部への装着固定用バンドである。
【図面の簡単な説明】
【図１】打者のための自打球防御用フットガードの正面完成図である。
【図２】フットガードの内、足甲部を除く脛部（シン）ガードの構造図である。
【2-1】シンガードのパッド内部透視図である。
【2-2】ガードバッドの典型的１断面の部品積層図と簡素化された仕上げ縫着線位置を図示した図である。
【2-3】縫着線を施し周縁を縁材で巻き仕上げし全体を内側に湾曲させたガードパッドの同上断面図である。
【符号の説明】
Ａ  フットガードの内、脛部ガード部本体
Ｂ  フットガードの内、足甲ガード部本体
Ｃ  脛部ガード固定バンド
Ｄ  足甲ガード固定バンド
Ｅ  脛部ガードと足甲部ガードの連結バンド
１  パッド裏面被覆材
２  パッド緩衝材積層部
３  硬質あるいは半硬質板材による衝撃吸収プレート、側部
４  硬質あるいは半硬質板材による衝撃吸収プレート、脛中心部
５  衝撃吸収プレートに穿たれた折れ曲り用切込線
６  表面被覆材
７  側央分離縫着線部位
８  周縁仕上縁テープ
９  周縁仕上縁テープ逢着線部位
【図１】
0003105187.tif 000003
【図２】
0003105187.tif 000004
【手続補正書】
【提出日】平成16年6月2日(2004.6.2)
【手続補正１】
【補正対象書類名】実用新案登録請求の範囲
【補正対象項目名】請求項１
【補正方法】変更
【補正の内容】
【請求項１】
野球打者の自打球から下肢部を防御するフットガードの内、脛前面から両側部に懸けた部位の柔軟な緩衝パッド体に硬質又は半硬質の衝撃吸収プレートを挿入する時、特に脛前面部へのプレートにおいては前部から側部にかかるほど出来るだけ幅広にし、円筒形の下肢に沿うよう容易に内側方向に湾曲させるための複数本の縦状切込み線を穿ったものとし、これとは分離した側部用細身の縦状保護プレート群とをもって脛前側部を覆うパッドの芯材として構成したシン（脛）ガード部を有するフットガード。